(57)【要約】【課題】特別な機器を用いなくても使い勝手のよい監視装置を得る。【解決手段】入力される映像信号又は音声信号を処理してデータとして記録し、通信回線を介して外部装置との間で各種データを含む信号のやりとりを行うことができる放送受信機において、カメラ８から入力された映像信号を符号化する映像符号化部９と、インターホン１０から入力された音声信号を符号化する音符号化部１１と、符号化した映像信号及び音声信号を合成したデータを作成する合成部１２と、合成したデータを記録する記録部と、入力されるパスワードデータに基づいて特定した電話番号への発呼処理を行い、記録部に記録されたデータを、モデム部６、電話回線網１７を介して携帯電話等の機器に送信する処理を行う制御部５とを備えたものである。【選択図】　　　　図１
2004023585.tif 000002
【特許請求の範囲】
【請求項１】
入力される映像信号又は音声信号を処理してデータとして記録し、通信回線を介して外部装置との間で各種データを含む信号のやりとりを行うことができる放送受信機を用いた監視を行うことを特徴とする監視装置。
【請求項２】
入力される映像信号又は音声信号を処理したデータを記録し、通信回線を介して外部機器との間で各種データを含む信号のやりとりを行うことができる放送受信機において、
撮像手段から入力された映像信号を符号化する映像符号化部と、
集音手段から入力された音信号を符号化する音符号化部と、
前記符号化した映像信号及び音信号を合成したデータを作成する合成部と、
前記合成したデータを記録する記録部と、
入力される識別データに基づいて特定した電話番号への発呼処理を行い、前記記録部に記録されたデータを、前記通信回線を介して映像表示機能を有する機器に送信する送信手段と
を備えたことを特徴とする監視装置。
【請求項３】
前記識別データは、パスワードに基づくデータであることを特徴とする請求項２記載の監視装置。
【発明の詳細な説明】
【０００１】
【発明の属する技術分野】
本発明はデジタル放送信号を受信し、復号したアナログ映像又は音声を出力する放送受信機に関するものである。特に放送受信機に例えば玄関等の監視システムの役割を付加したものである。
【０００２】
【従来の技術】
通信衛星を使ったＣＳデジタル放送や放送衛星を使ったＢＳデジタル放送では、テレビ用映像、音声をはじめとするデータが放送電波信号として配信される。
【０００３】
放送受信機では受信した放送電波を復調し、映像データ、音声データに分離する。分離された映像、音声データを復号し、映像、音声として出力している。
【０００４】
図２は従来の放送受信機の構成を示すブロック図である。１は放送電波による信号を受信し、復調処理する復調部である。２は復調部１から送信された放送データを含む信号に基づいて、デジタルデータである映像データを含む信号と音声データを含む信号とに分離処理する分離部である。３は映像データを含む信号に基づいてアナログデータである映像信号に変換処理し、また、音声データを含む信号に基づいてアナログデータである音声信号に変換処理する復号部である。４は映像信号に基づいて表示を行い、また音声信号に基づいて発音する表示発音部である。
【０００５】
５は各部を制御する制御部である。６は電話回線網１７を介して例えば外部のセンターに備えられた装置との間でデータ信号の送受信を行うためのモデム部である。９は映像信号を符号化し、映像データを含む信号に変換する映像符号化部である。ここでは、復号部３が復号した映像信号を再符号化する。１１は復号部３が復号した音声信号を符号化し、音声データを含む信号に変換する音声符号化部である。ここでは、復号部３が復号した音声信号を再符号化する。１２は、符号化された映像データ及び音声データを合成し、記録データを含む信号に変換する合成部である。１３Ａは記録データを記録する記録部である。
【０００６】
１７はデータを含む信号をやりとりするための電話回線網である。また、２１は電話回線１７を介して放送受信機とデータのやりとりを行うセンターに備えられたセンター装置である。
【０００７】
１１ａはアンテナで受信した変調された放送電波による信号、１２ａは復調部１で復調された放送データを含む信号、１３ａは放送データを含む信号に基づいて分離された映像データを含む信号又は音声データを含む信号、１４ａは復号部３で復号された映像信号又は音声信号である。１５ａは制御部５が分離部２に指示し、制御するための分離部制御データを含む信号である。同様に、１６ａは復号部制御データを含む信号、１７ａは記録部制御データを含む信号、１８ａはモデム制御データを含む信号である。２７ａは復号部３により復号された映像信号である。また、２１ａはデジタルデータである映像データを含む信号である。２８ａは復号部３により復号された音声信号である。また、２３ａはデジタルデータである音声データを含む信号である。２４ａは記録部１３Ａに記録される記録データを含む信号である。
【０００８】
次に従来の放送受信機の動作について説明する。復調部１は、アンテナ（図示せず）により受信した変調された放送電波による信号１１ａを復調し、放送データを含む信号１２ａを送信する。分離部２は、放送データに基づいて映像データと音声データとに分離処理を行い、映像データを含む信号又は音声データを含む信号１３ａを送信する。復号部３は、映像データに基づいて映像信号を復号し、また、音声データに基づいて音声信号を復号して、表示発音部４に送信する。表示発音部４は映像信号に基づいた表示を行い、音声信号に基づいた発音を行う。
【０００９】
また、復号部３は信号１３ａと共に映像符号化部９、音声符号化部１１にそれぞれ映像信号２７ａ、音声信号２８ａを送信する。映像符号化部９は映像信号２７ａを符号化し、映像データを含む信号２１ａを送信する。また、音声符号化部１１は映像信号２８ａを符号化し、音声データを含む信号２３ａを送信する。合成部１２は、映像データ及び音声データを合成処理して作成した記録データを含む信号を記録部１３Ａに送信する。記録部１３Ａは記録データを記録する。
【００１０】
また、制御部５は、記録部１３に記録されたは個人情報のデータ等を含む信号をモデム部６、通信回線網１７を介してセンター装置２１に送信する。
【００１１】
一方、従来からも玄関等の状況を撮影した映像のデータを含む信号等を、例えば電話回線等を介して携帯電話機等の外部機器に送信する監視装置がある。
【００１２】
【発明が解決しようとする課題】
従来、このような監視装置は、あらかじめ決まった電話番号との回線を接続した上で映像データを含む信号等を送信する。この場合、例えば来訪者が誰であったとしても決まった電話番号の外部機器にしか映像データを含む信号を送信しない。また、このような監視装置として用いられるのは、例えば特開２０００−００３４９３号に開示されているように、監視機能を備えさせたパーソナルコンピュータである。
【００１３】
そこで、本発明は上記のような問題点を解決するためになされたものであり、特に特別な機器を用いなくても使い勝手のよい監視装置を得ることを目的とする。
【００１４】
【課題を解決するための手段】
本発明に係る監視装置は、入力される映像信号又は音声信号を処理してデータとして記録し、通信回線を介して外部装置との間で各種データを含む信号のやりとりを行うことができる放送受信機を用いた監視を行うものである。
【００１５】
また、本発明に係る監視装置は、入力される映像信号又は音声信号を処理したデータを記録し、通信回線を介して外部機器との間で各種データを含む信号のやりとりを行うことができる放送受信機において、撮像手段から入力された映像信号を符号化する映像符号化部と、集音手段から入力された音信号を符号化する音符号化部と、符号化した映像信号及び音信号を合成したデータを作成する合成部と、合成したデータを記録する記録部と、入力される識別データに基づいて特定した電話番号への発呼処理を行い、記録部に記録されたデータを、通信回線を介して映像表示機能を有する機器に送信する送信手段とを備えたものである。
【００１６】
また、本発明に係る監視装置において、識別データは、パスワードに基づくデータである。
【００１７】
【発明の実施の形態】
実施の形態１．
図１は本発明の第１の実施の形態に係る放送受信機を中心とする構成を表す図である。図１において、図２と同じ図番を付しているものは、上述した従来のものと同一又は相当する動作を行うので説明を省略する。７は入力されたパスワードに基づいて、データ信号に変換するパスワード入力手段である。８は撮影した画像を映像データの信号に変換するカメラ手段である。また、１０は入力された音声を音声データ信号に変換するインターホン手段である。パスワード入力手段７、カメラ手段８及びインターホン手段１０は、例えば、来訪者がパスワードや音声の入力をするために、また来訪者の撮影をするために住宅の玄関等に設けられている。
【００１８】
１３は受信機を制御するためのデータ等、共通したデータを記録しておくための共通記録部である。また、１４、１５及び１６は、それぞれパスワードに基づいて区別された個別のデータを記録するための個別記録部である。１８、１９及び２０は携帯電話である。
【００１９】
１９ａはパスワード入力部７から送信されるパスワードデータを含む信号である。２０ａはカメラ部８より入力された映像信号である。２２ａはインターホン部１０より入力された音声信号である。２５ａは個別記録部から送信される映像・音声データを含む信号である。２６ａは、記録部から送信される記録データを含む信号である。モデム部６、電話回線網１７を介して携帯電話１８、１９及び２０の任意の携帯電話に送信するデータを含む信号である。
【００２０】
次に動作について説明する。通常の放送受信機としての動作については特に従来のものと変わらない。放送受信機は、放送電波による信号から得られる映像信号及び音声信号に基づいて、表示発音部４は表示及び発音を行う。
【００２１】
一方、例えば来訪者により、インターホン部１０のボタンが押されると、カメラ部８は撮影を開始し、撮影した映像を映像信号２０ａに変換して映像符号化部９に送信する。また、インターホン部１０は、入力される音を音声信号２２ａに変換して音声符号化部１１に送信する。
【００２２】
映像符号化部９は、映像信号２０ａに基づいて符号化し、デジタルデータである映像データを含む信号２１ａを送信する。また、音声符号化部１１は、音声信号２２ａに基づいて符号化し、デジタルデータである音声データを含む信号２３ａを送信する。合成部１２は、映像符号化部９、音声符号化部１１から送信されるそれぞれの信号に基づいて映像データと音声データとを合成した記録データを含む信号２４ａを送信する。共通記録部１３は記録データを記録する。
【００２３】
通常の来訪者の場合は、以上で処理が終了する。そして、その後、例えば住人が帰宅し、操作を行うことで、その記録データを分離部２、復号部３で処理して作成した映像信号及び音声信号に基づいて、表示発音部４は表示及び発音を行い、撮影された状況を確認することができる。
【００２４】
ここで、例えば事前に住人からパスワードを通知されている来訪者の場合、さらに来訪者がパスワードを入力すると、パスワード入力部７は制御部５にパスワードデータを含む信号を送信する。制御部５はパスワードデータに基づいて、個別記録部１４、１５又は１６のうち、該当するものを特定し、共通記録部１３に記録されている記録データを該当する個別記録部に移し替える。そして、モデム部６を制御し、パスワードデータと関連づけられた電話番号による発呼を行う。そして、その電話番号の携帯電話との間で回線が接続されると、該当する個別記録部からモデム部６、電話回線網１７を介して記録データが送信される。
【００２５】
また、この場合も、帰宅した後に住人が設定されたパスワードを入力することで、該当する個別記録部に記録された記録データを含む信号２６ａが分離部２に入力され、この記録データに基づく表示、発音を行うことができる。
【００２６】
以上のように、本実施の形態によれば、放送受信機に監視機能を備えることにより、特別な機器を用いることもなく有効な監視を行うことができる。また、パスワードを設け、入力されるパスワードに基づいて電話回線等を介して映像信号の送信を行う電話番号を区別することができるので、特定の来訪者が訪れたことを特定の人に通知することができる。また、パスワードにより簡単に区別を行うことができる。
【００２７】
実施の形態２．
上述の実施の形態では、来訪者の特定のためにパスワードの入力を行うようにした。本発明はそれに限定されるものではなく、来訪者を識別することができるもの（例えば、声紋、指紋、虹彩等）により来訪者を識別、判断、特定し、該当する電話番号を発呼するようにしてもよい。
【００２８】
【発明の効果】
以上のように本発明によれば、放送受信機を用いた監視を行うようにしたので、特別な機器を用いることもなく有効な監視を行うことができる。
【００２９】
また、本発明によれば、入力される識別データに基づいて特定した電話番号への発呼処理を行い、記録部に記録されたデータを、通信回線を介して映像表示機能を有する電話機に送信するようにしたので、特定の来訪者が訪れたことを特定の人に通知することができる。
【００３０】
また、本発明によれば、識別データをパスワードに基づくデータにしたので、簡単に区別を行うことができる。
【図面の簡単な説明】
【図１】本発明の第１の実施の形態に係る放送受信機を中心とする構成を表す図である。
【図２】従来の受信機の構成を示すブロック図である。
【符号の説明】
１　復調部、２　分離部、３　復号部、４　表示発音部、５　制御部、６　モデム部、７　パスワード入力部、８　カメラ部、９　映像符号化部、１０　インターホン部、１１　音声符号化部、１２　合成部、１３　共通記録部、１４、１５、１６　個別記録部、１７　電話回線網、１８、１９、２０　携帯電話、２１センター装置、１１ａ　放送電波による信号、１２ａ　放送データを含む信号、１３ａ　映像データを含む信号又は音声データを含む信号、１４ａ　復号された映像信号又は音声信号、１５ａ　分離部制御データを含む信号、１６ａ　復号部制御データを含む信号、１７ａ　記録部制御データを含む信号、１８ａ　モデム制御データを含む信号、１９ａ　パスワードデータを含む信号、２０ａ　映像信号、２１ａ　映像データを含む信号、２２ａ　音声信号、２３ａ　音声データを含む信号、２４ａ　記録データを含む信号、２５ａ　映像・音声データを含む信号、２６ａ　記録データを含む信号、２７ａ　復号部３により復号された映像信号、２８ａ　音声信号。
【図１】
2004023585.tif 000003
【図２】
2004023585.tif 000004